(57)【要約】【課題】透過像の視認性の高い有機電界発光素子、照明装置及び照明システムを提供する。【解決手段】実施形態によれば、第１基板と、第２基板と、積層体と、を備えた有機電界発光素子が提供される。第１基板は、光透過性である。第２基板は、光透過性である。積層体は、第１基板と第２基板との間に設けられる。積層体は、第１電極と、第２電極と、有機発光層と、を含む。第１電極は、光透過性である。第２電極は、開口部と、光反射性の導電部と、を含む。第２電極は、第１基板と第２基板との積層方向において第１電極と積層される。有機発光層は、第１電極と第２電極との間に設けられる。第２基板は、積層方向に対して垂直な平面に投影したときに、導電部と重なる光散乱部を含む。【選択図】図１
2014154213.tif 000002
【特許請求の範囲】
【請求項１】
光透過性の第１基板と、
光透過性の第２基板と、
前記第１基板と前記第２基板との間に設けられた積層体であって、
光透過性の第１電極と、
開口部と光反射性の導電部とを含み、前記第１基板と前記第２基板との積層方向において前記第１電極と積層された第２電極と、
前記第１電極と前記第２電極との間に設けられた有機発光層と、
を含む積層体と、
を備え、
前記第２基板は、前記積層方向に対して垂直な平面に投影したときに前記導電部と重なる光散乱部を含む有機電界発光素子。
【請求項２】
光透過性の第１基板と、
光透過性の第２基板と、
前記第１基板と前記第２基板との間に設けられた積層体であって、
光透過性の第１電極と、
開口部と光反射性の導電部とを含み、前記第１基板と前記第２基板との積層方向において前記第１電極と積層された第２電極と、
前記第１電極と前記第２電極との間に設けられた有機発光層と、
を含む積層体と、
を備え、
前記導電部は、前記第２基板と対向する光散乱部を含む有機電界発光素子。
【請求項３】
光透過性の第１基板と、
光透過性の第２基板と、
前記第１基板と前記第２基板との間に設けられた積層体であって、
光透過性の第１電極と、
前記第１基板と前記第２基板との積層方向において前記第１電極と積層された光透過性の第２電極と、
前記第１電極と前記第２電極との間に設けられた有機発光層と、
開口部と光反射性の配線部とを含み、前記第１電極と前記有機発光層との間に設けられた配線層と、
を含む積層体と、
を備え、
前記第２基板は、前記積層方向に対して垂直な平面に投影したときに前記配線部と重なる光散乱部を含む有機電界発光素子。
【請求項４】
光透過性の第１基板と、
光透過性の第２基板と、
前記第１基板と前記第２基板との間に設けられた積層体であって、
光透過性の第１電極と、
前記第１基板と前記第２基板との積層方向において前記第１電極と積層された光透過性の第２電極と、
前記第１電極と前記第２電極との間に設けられた有機発光層と、
開口部と光反射性の配線部とを含み、前記第１電極と前記有機発光層との間に設けられた配線層と、
を含む積層体と、
を備え、
前記配線部は、前記第２基板と対向する光散乱部を含む有機電界発光素子。
【請求項５】
光透過性の第１基板と、
光透過性の第２基板と、
前記第１基板と前記第２基板との間に設けられた積層体であって、
光透過性の第１電極と、
前記第１基板と前記第２基板との積層方向において前記第１電極と積層された光透過性の第２電極と、
前記第１電極と前記第２電極との間に設けられた有機発光層と、
開口部と光反射性の配線部とを含む配線層であって、前記配線層と前記有機発光層との間に前記第２電極が配置される配線層と、
を含む積層体と、
を備え、
前記第２基板は、前記積層方向に対して垂直な平面に投影したときに前記配線部と重なる光散乱部を含む有機電界発光素子。
【請求項６】
光透過性の第１基板と、
光透過性の第２基板と、
前記第１基板と前記第２基板との間に設けられた積層体であって、
光透過性の第１電極と、
前記第１基板と前記第２基板との積層方向において前記第１電極と積層された光透過性の第２電極と、
前記第１電極と前記第２電極との間に設けられた有機発光層と、
開口部と光反射性の配線部とを含む配線層であって、前記配線層と前記有機発光層との間に前記第２電極が配置される配線層と、
を含む積層体と、
を備え、
前記配線部は、前記第２基板と対向する光散乱部を含む有機電界発光素子。
【請求項７】
前記光散乱部は、光透過性と光散乱性とを有する光学フィルムである請求項１〜６のいずれか１つに記載の有機電界発光素子。
【請求項８】
請求項１〜７のいずれか１つに記載の有機電界発光素子と、
前記第１電極と前記第２電極とに電気的に接続され、前記第１電極及び前記第２電極を介して前記有機発光層に電流を供給する電源部と、
を備えた照明装置。
【請求項９】
請求項１〜７のいずれか１つに記載の複数の有機電界発光素子と、
前記複数の有機電界発光素子のそれぞれと電気的に接続され、前記複数の有機電界発光素子のそれぞれの点灯・消灯を制御する制御部と、
を備えた照明システム。
【発明の詳細な説明】
【技術分野】
【０００１】
本発明の実施形態は、有機電界発光素子、照明装置及び照明システムに関する。
【背景技術】
【０００２】
光透過性の第１電極と、第２電極と、第１電極と第２電極との間に設けられた有機発光層と、を含む有機電界発光素子がある。有機電界発光素子を光源として用いた照明装置がある。複数の有機電界発光素子と、これら複数の有機電界発光素子の点灯及び消灯を制御する制御部と、を含む照明システムがある。有機電界発光素子では、複数の開口が設けられた細線状の第２電極や、光透過性の第２電極を用いることにより、光透過性を持たせることが行われている。こうした有機電界発光素子において、透過像の視認性の向上が望まれる。
【先行技術文献】
【特許文献】
【０００３】
【特許文献１】特開２００３−２５７６２１号公報
【発明の概要】
【発明が解決しようとする課題】
【０００４】
本発明の実施形態は、透過像の視認性の高い有機電界発光素子、照明装置及び照明システムを提供する。
【課題を解決するための手段】
【０００５】
本発明の実施形態によれば、第１基板と、第２基板と、積層体と、を備えた有機電界発光素子が提供される。前記第１基板は、光透過性である。前記第２基板は、光透過性である。前記積層体は、前記第１基板と前記第２基板との間に設けられる。前記積層体は、第１電極と、第２電極と、有機発光層と、を含む。前記第１電極は、光透過性である。前記第２電極は、開口部と、光反射性の導電部と、を含む。前記第２電極は、前記第１基板と前記第２基板との積層方向において前記第１電極と積層される。前記有機発光層は、前記第１電極と前記第２電極との間に設けられる。前記第２基板は、前記積層方向に対して垂直な平面に投影したときに前記導電部と重なる光散乱部を含む。
【図面の簡単な説明】
【０００６】
【図１】第１の実施形態に係る有機電界発光素子を表す模式的断面図である。
【図２】第１の実施形態に係る有機電界発光素子の一部を表す模式的平面図である。
【図３】第１の実施形態に係る有機電界発光素子の一部を表す模式的断面図である。
【図４】図４（ａ）〜図４（ｄ）は、第１の実施形態に係る別の有機電界発光素子を表す模式的断面図である。
【図５】第１の実施形態に係る別の有機電界発光素子の一部を表す模式的平面図である。
【図６】図６（ａ）及び図６（ｂ）、第１の実施形態に係る別の有機電界発光素子を表す模式的断面図である。
【図７】第１の実施形態に係る別の有機電界発光素子を表す模式的断面図である。
【図８】図８（ａ）及び図８（ｂ）、第１の実施形態に係る別の有機電界発光素子を表す模式的断面図である。
【図９】図９（ａ）及び図９（ｂ）は、第１の実施形態に係る別の有機電界発光素子を表す模式図である。
【図１０】図１０（ａ）及び図１０（ｂ）は、第１の実施形態に係る別の有機電界発光素子を表す模式的断面図である。
【図１１】図１１（ａ）及び図１１（ｂ）は、第１の実施形態に係る別の有機電界発光素子を表す模式図である。
【図１２】図１２（ａ）及び図１２（ｂ）は、第１の実施形態に係る別の有機電界発光素子を表す模式的断面図である。
【図１３】第２の実施形態に係る照明装置を表す模式図である。
【図１４】図１４（ａ）及び図１４（ｂ）は、第３の実施形態に係る照明システムを表す模式図である。
【発明を実施するための形態】
【０００７】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施の形態）
図１は、第１の実施形態に係る有機電界発光素子を表す模式的断面図である。  
図２は、第１の実施形態に係る有機電界発光素子の一部を表す模式的平面図である。  
図１は、図２のＡ１−Ａ２線断面図である。これらの図は、本実施形態に係る有機電界発光素子の一部を拡大して例示している。  
図１及び図２に表したように、有機電界発光素子１１０は、第１基板８１と、第２基板８２と、積層体ＳＢと、を含む。
【０００９】
第１基板８１は、光透過性を有する。第２基板８２は、第１基板８１に対向して配置される。第２基板８２は、光透過性を有する。積層体ＳＢは、第１基板８１と第２基板８２との間に設けられる。すなわち、第１基板８１の上に積層体ＳＢが設けられ、積層体ＳＢの上に第２基板８２が設けられる。
【００１０】
ここで、第１基板８１と第２基板８２との積層方向に対して平行な方向をＺ軸方向とする。Ｚ軸方向に対して垂直な１つの方向をＸ軸方向とする。Ｘ軸方向及びＺ軸方向に対して垂直な方向をＹ軸方向とする。
【００１１】
第１基板８１は、第１主面８１ａと、第２主面８１ｂと、を有する。第１主面８１ａは、例えば、Ｚ軸方向に対して垂直な平面である。第２主面８１ｂは、第１主面８１ａに対して反対側の面である。第２主面８１ｂは、例えば、第１主面８１ａに対して平行である。第２基板８２は、第３主面８２ａと、第４主面８２ｂと、を有する。第３主面８２ａは、第１主面８１ａと対向する面である。第４主面８２ｂは、第３主面８２ａに対して反対側の面である。第４主面８２ｂは、例えば、第３主面８２ａに対して平行である。第３主面８２ａ及び第４主面８２ｂは、例えば、第１主面８１ａに対して平行である。
【００１２】
積層体ＳＢは、主面８１ａの上に設けられる。第２基板８２は、積層体ＳＢの上に設けられる。第１基板８１と第２基板８２との間には、所定の間隔が設けられる。第１基板８１と第２基板８２との間のＺ軸方向の間隔は、例えば、図示を省略したスペーサや、基板８２の外縁に設けられる枠状の突出部分などによって規定される。
【００１３】
第１基板８１と第２基板８２との間のＺ軸方向の間隔は、積層体ＳＢの厚さ（Ｚ軸方向の長さ）よりも長い。これにより、積層体ＳＢと第２基板８２との間には、所定の間隔が設けられる。第１基板８１及び第２基板８２の外縁には、紫外線硬化樹脂などのシール部材が設けられる。シール部材は、第１基板８１及び第２基板８２の外縁部分において、第１基板８１と第２基板８２との間の隙間を埋め、第１基板８１と第２基板８２とを接着する。これにより、第１基板８１と第２基板８２とによって積層体ＳＢが封止される。例えば、積層体ＳＢが、水分などから保護される。
【００１４】
積層体ＳＢと第２基板８２との間の空間には、例えば、不活性ガスなどが充填される。積層体ＳＢと第２基板８２との間に、乾燥剤などを設けてもよい。積層体ＳＢと第２基板８２との間の空間は、例えば、空気層でもよい。例えば、積層体ＳＢと第２基板８２との間の空間において、真空度を高めてもよい。積層体ＳＢと第２基板８２との間の空間には、例えば、液状のアクリル系樹脂やエポキシ系樹脂などを充填してもよい。アクリル系樹脂やエポキシ系樹脂には、乾燥材として酸化カルシウムや酸化バリウムなどを添加させてもよい。
【００１５】
積層体ＳＢは、第１電極１０と、第２電極２０と、有機発光層３０と、を含む。第１電極１０は、光透過性を有する。第１電極１０は、例えば、透明電極である。第２電極２０は、Ｚ軸方向において第１電極１０と積層される。有機発光層３０は、第１電極１０と第２電極２０との間に設けられる。この例では、第１電極１０、有機発光層３０及び第２電極２０が、この順に積層される。第１電極１０は、第１基板８１の主面８１ａの上に設けられる。有機発光層３０は、第１電極１０の上に設けられる。第２電極２０は、有機発光層３０の上に設けられる。
【００１６】
有機発光層３０は、例えば、複数の発光部３０ｅと、複数の開口部３０ｆと、を有する。複数の発光部３０ｅのそれぞれは、Ｙ軸方向に延び、Ｘ軸方向に並ぶ。複数の開口部３０ｆのそれぞれは、複数の発光部３０ｅのそれぞれの間に配置される。この例において、複数の開口部３０ｆのそれぞれは、Ｙ軸方向に延びる溝状である。複数の開口部３０ｆのそれぞれは、Ｙ軸方向に延び、Ｘ軸方向に並ぶ。
【００１７】
第２電極２０は、導電部２０ａと、開口部２０ｂと、を有する。この例において、第２電極２０は、複数の導電部２０ａと、複数の開口部２０ｂと、を有する。複数の導電部２０ａのそれぞれは、Ｙ軸方向に延び、Ｘ軸方向に並ぶ。複数の導電部２０ａのそれぞれは、複数の発光部３０ｅのそれぞれの上に配置される。
【００１８】
複数の開口部２０ｂのそれぞれは、複数の導電部２０ａのそれぞれの間に配置される。この例において、複数の開口部２０ｂのそれぞれは、Ｙ軸方向に延びる溝状である。複数の開口部２０ｂのそれぞれは、Ｙ軸方向に延び、Ｘ軸方向に並ぶ。複数の開口部２０ｂのそれぞれは、例えば、複数の開口部３０ｆのそれぞれの上に配置される。この例では、第２電極２０及び有機発光層３０が、ストライプ状である。
【００１９】
導電部２０ａは、光反射性を有する。導電部２０ａの光反射率は、例えば、第１電極１０の光反射率よりも高い。本願明細書においては、第１電極１０の光反射率よりも高い光反射率を有している状態を光反射性という。
【００２０】
第２基板８２は、光散乱部４０を有する。光散乱部４０は、例えば、入射した光を散乱させる。光散乱部４０は、例えば、入射した光の進行方向を変化させる。光散乱部４０は、Ｘ−Ｙ平面に投影したときに、導電部２０ａと重なる位置に配置される。光散乱部４０は、例えば、Ｘ−Ｙ平面に投影したときに、導電部２０ａと重なる部分にのみ設けられる。この例において、第２基板８２は、複数の光散乱部４０を有する。複数の光散乱部４０のそれぞれは、複数の導電部２０ａのそれぞれと重なる位置に配置される。複数の光散乱部４０のそれぞれのＸ−Ｙ平面に投影した形状は、複数の導電部２０ａのそれぞれのＸ−Ｙ平面に投影した形状と実質的に同じである。すなわち、この例において、複数の光散乱部４０のそれぞれは、Ｙ軸方向に延びる。複数の光散乱部４０のそれぞれは、Ｙ軸方向に延び、Ｘ軸方向に並ぶ。
【００２１】
この例では、複数の光散乱部４０のそれぞれが、第４主面８２ｂの上に設けられる。第４主面８２ｂは、Ｘ−Ｙ平面に投影したときに、導電部２０ａと重なる重畳部８２ｐと、導電部２０ａと重ならない非重畳部８２ｑと、を含む。この例では、第４主面８２ｂが、Ｘ−Ｙ平面に投影したときに、複数の導電部２０ａのそれぞれと重なる複数の重畳部８２ｐと、複数の導電部２０ａのそれぞれと重ならない複数の非重畳部８２ｑと、を含む。複数の光散乱部４０のそれぞれは、複数の重畳部８２ｐのそれぞれの上に設けられる。複数の光散乱部４０のそれぞれは、例えば、複数の重畳部８２ｐのそれぞれの上にのみ設けられる。光散乱部４０の光散乱性は、例えば、第４主面８２ｂの非重畳部８２ｑの光散乱性よりも高い。
【００２２】
この例において、複数の光散乱部４０のそれぞれは、例えば、光透過性と光散乱性とを有する光学フィルムＯＦである。例えば、第４主面８２ｂの重畳部８２ｐの上に、光学フィルムＯＦを貼り付ける。これにより、第２基板８２に光散乱部４０が設けられる。光学フィルムＯＦには、例えば、マイクロレンズシートやレンチキュラレンズシートなどの微細構造を有する薄膜状のフィルムが用いられる。
【００２３】
有機発光層３０は、第１電極１０と電気的に接続される。有機発光層３０の複数の発光部３０ｅのそれぞれは、例えば、第１電極１０に接する。これにより、有機発光層３０が、第１電極１０と電気的に接続される。
【００２４】
有機発光層３０は、第２電極２０と電気的に接続される。有機発光層３０は、例えば、複数の導電部２０ａのそれぞれに接する。これにより、有機発光層３０が、第２電極２０と電気的に接続される。なお、本願明細書において、「電気的に接続」には、直接接触する場合のほか、間に他の導電部材などが介在する場合も含む。
【００２５】
第１電極１０と第２電極２０とを用いて有機発光層３０に電流を流す。これにより、有機発光層３０が発光する。有機発光層３０は、例えば、電流が流された場合に、電子と正孔とを再結合させ、励起子を生成する。有機発光層３０は、例えば、励起子が放射失活する際の光の放出を利用して発光する。
【００２６】
有機電界発光素子１１０では、有機発光層３０の複数の発光部３０ｅのそれぞれが、発光領域となる。複数の発光部３０ｅのそれぞれから発せられた発光ＥＬは、第１電極１０を介して、有機電界発光素子１１０の外部に出射する。発光ＥＬの一部は、第２電極２０の導電部２０ａで反射し、有機発光層３０及び第１電極１０を介して外部に出射する。すなわち、有機電界発光素子１１０は、片面発光型である。
【００２７】
また、有機電界発光素子１１０では、外部から入射する外光ＯＬが、複数の導電部２０ａのそれぞれの間の部分の第１電極１０を透過する。このように、有機電界発光素子１１０は、発光ＥＬを出射させつつ、外部から有機電界発光素子１１０に入射する外光ＯＬを透過させる。このように、有機電界発光素子１１０は、消灯状態において光透過性を有する。また、点灯状態においても、第２電極２０側から観察すると、有機電界発光素子１１０は光透過性を有する。これにより、有機電界発光素子１１０では、有機電界発光素子１１０を介して、背景の像を視認できる。すなわち、有機電界発光素子１１０は、シースルー可能な薄膜状または板状の光源である。
【００２８】
このように、実施形態の有機電界発光素子１１０によれば、光透過性の有機電界発光素子を提供できる。この有機電界発光素子１１０を照明装置に応用した場合、照明機能の他に、背景像を透過させる機能により、種々の新たな応用が可能になる。
【００２９】
光透過性の有機電界発光素子において、光散乱部４０を有しない構成がある。このような構成では、例えば、第２基板８２側から透過像を観察する際に、透過像が見難くなってしまう場合がある。光散乱部４０を有しない場合、第２基板８２側から入射した外光ＯＬの一部は、導電部２０ａで反射して第２基板８２から再び外部に出射する。この反射光が、透過像に重なる。これにより、透過像が見難くなってしまう。
【００３０】
これに対して、本実施形態に係る有機電界発光素子１１０では、第２基板８２側から入射し、導電部２０ａで反射した光の少なくとも一部が、光散乱部４０で散乱する。例えば、導電部２０ａで反射した光の観察者の眼への入射が抑制される。光散乱部４０は、例えば、導電部２０ａでの反射光を抑制する反射防止膜として機能する。一方、透過像は、例えば、複数の光散乱部４０のそれぞれの間の部分を透過して、観察者の眼に入射する。これにより、有機電界発光素子１１０では、透過像の視認性を高めることができる。
【００３１】
例えば、黒色の酸化クロムなどの黒色顔料を反射防止膜として用いる構成がある。しかしながら、酸化クロムなどを含む黒色顔料は、環境に悪い。また、例えば、半透過反射層と透明層とを積層し、光の干渉の効果によって反射を防止する構成もある。しかしながら、半透過反射層や透明層などを積層形成すると、例えば、製造に時間がかかってしまう。
【００３２】
これに対して、有機電界発光素子１１０では、例えば、光学フィルムＯＦなどを用いた光散乱部４０で、反射光を抑制する。光散乱部４０は、酸化クロムなどの有害な物質を含まない。これにより、耐環境性の低下を抑制できる。また、有機電界発光素子１１０では、例えば、光学フィルムＯＦを貼り付けることで、光散乱部４０を形成できる。これにより、有機電界発光素子１１０では、反射光を抑制する構造を比較的容易に形成できる。例えば、製造時間の長時間化を抑制できる。
【００３３】
図３は、第１の実施形態に係る有機電界発光素子の一部を表す模式的断面図である。  
図３に表したように、有機発光層３０は、第１層３１を含む。有機発光層３０は、必要に応じて、第２層３２及び第３層３３の少なくともいずれかをさらに含むことができる。第１層３１は、可視光の波長を含む光を放出する。第２層３２は、第１層３１と第１電極１０との間に設けられる。第３層３３は、第１層３１と第２電極２０との間に設けられる。
【００３４】
第１層３１には、例えば、Ａｌｑ３（トリス(８−ヒドロキシキノリノラト)アルミニウム）、Ｆ８ＢＴ（ポリ(9,9-ジオクチルフルオレン-ｃｏ-ベンゾチアジアゾール）及びＰＰＶ（ポリパラフェニレンビニレン）などの材料を用いることができる。第１層３１には、ホスト材料と、ホスト材料に添加されるドーパントと、の混合材料を用いることができる。ホスト材料としては、例えばＣＢＰ（4,4'−N,N'-ビスジカルバゾリルール−ビフェニル）、ＢＣＰ（2,9−ジメチル-4,7 ジフェニル−1,10−フェナントロリン）、ＴＰＤ（N,N'-ビス（3-メチルフェニル）-N,N'-ビス（フェニル）-ベンジジン）、ＰＶＫ（ポリビニルカルバゾール）及びＰＰＴ（ポリ（３−フェニルチオフェン））などを用いることができる。ドーパント材料としては、例えば、Ｆｌｒｐｉｃ（イリジウム(III)ビス(4,6-ジ-フルオロフェニル)-ピリジネート-N,C2'-ピコリネート）、Ｉｒ（ｐｐｙ）３（トリス (２−フェニルピリジン)イリジウム）及びＦｌｒ６（ビス（２，４−ジフルオロフェニルピリジナト）−テトラキス（１−ピラゾリル）ボラート−イリジウム（ＩＩＩ））などを用いることができる。なお、第１層３１は、これらの材料に限定されない。
【００３５】
第２層３２は、例えば、正孔注入層として機能する。正孔注入層としては、例えば、ＰＥＤＰＯＴ：ＰＰＳ（ポリ(3,4- エチレンジオキシチオフェン)-ポリ(スチレンスルホン酸)）、ＣｕＰｃ(銅フタロシアニン)、及び、ＭｏＯ３（三酸化モリブデン）などの少なくともいずれかを含む材料を用いることができる。第２層３２は、例えば正孔輸送層として機能する。正孔輸送層としては、例えば、α−ＮＰＤ（4，4'−ビス［N−（1−ナフチル）−N−フェニルアミノ］ビフェニル）、ＴＡＰＣ（1,1-ビス[4-[N,N-ジ(p-トリル)アミノ]フェニル]シクロヘキサン）、ｍ−ＭＴＤＡＴＡ（4,4',4''-トリス[フェニル(m-トリル)アミノ]トリフェニルアミン）、ＴＰＤ（ビス(3-メチルフェニル)-N,N'-ジフェニルベンジジン）、及び、ＴＣＴＡ（4，4'，4"−トリ（N− カルバゾリル）トリフェニルアミン）などの少なくともいずれかを含む材料を用いることができる。第２層３２は、例えば、正孔注入層として機能する層と、正孔輸送層として機能する層と、の積層構造を有しても良い。第２層３２は、正孔注入層として機能する層及び正孔輸送層として機能する層とは別の層を含んでも良い。なお、第２層３２は、これらの材料に限定されない。
【００３６】
第３層３３は、例えば電子注入層として機能する層を含むことができる。電子注入層としては、例えば、フッ化リチウム、フッ化セシウム、及び、リチウムキノリン錯体などの少なくともいずれかを含む材料を用いることができる。第３層３３は、例えば、電子輸送層として機能する層を含むことができる。電子輸送層としては、例えば、Ａｌｑ３（トリス（8キノリノラト）アルミニウム（III））、ＢＡｌｑ(ビス（２−メチル−８− キノリラト）(ｐ−フェニルフェノラート)アルミニウム)、Ｂｐｈｅｎ（バソフェナントロリン）、及び、３ＴＰＹＭＢ（トリス[３−(３−ピリジル)−メシチル]ボラン）などの少なくともいずれかを含む材料を用いることができる。第３層３３は、例えば、電子注入層として機能する層と、電子輸送層として機能する層と、の積層構造を有しても良い。第３層３３は、電子注入層として機能する層及び電子輸送層として機能する層とは別の層を含んでも良い。なお、第３層は、これらの材料に限定されない。
【００３７】
例えば、有機発光層３０から放出される光は、実質的に白色光である。すなわち、有機電界発光素子１１０から出射する光は白色光である。ここで、「白色光」は、実質的に白色であり、例えば、赤色系、黄色系、緑色系、青色系及び紫色系などの白色の光も含む。
【００３８】
第１電極１０は、例えば、Ｉｎ、Ｓｎ、Ｚｎ及びＴｉよりなる群から選択された少なくともいずれかの元素を含む酸化物を含む。第１電極１０には、例えば、酸化インジウム、酸化亜鉛、酸化錫、インジウム錫酸化物（ＩＴＯ：Indium Tin Oxide）膜、フッ素ドープ酸化錫（ＦＴＯ）、インジウム亜鉛酸化物を含む導電性ガラスを用いて作製された膜（例えばＮＥＳＡなど）、金、白金、銀、及び、銅などを用いることができる。第１電極１０は、例えば、陽極として機能する。なお、第１電極１０は、これらの材料に限定されない。
【００３９】
第２電極２０は、例えば、アルミニウム及び銀の少なくともいずれかを含む。例えば、第２電極２０には、アルミニウム膜が用いられる。さらに、第２電極２０として、銀とマグネシウムとの合金を用いても良い。この合金にカルシウムを添加しても良い。第２電極２０は、例えば、陰極として機能する。なお、第２電極２０は、これらの材料に限定されない。
【００４０】
なお、第１電極１０を陰極とし、第２電極２０を陽極とし、第２層３２を電子注入層または電子輸送層として機能させ、第３層３３を正孔注入層または正孔輸送層として機能させてもよい。
【００４１】
第１基板８１及び第２基板８２には、例えば、ガラス基板、または、樹脂基板などが用いられる。
【００４２】
第１電極１０の厚さ（Ｚ軸方向の長さ）は、例えば、１０ｎｍ以上５００ｎｍ以下である。好ましくは、５０ｎｍ以上２００ｎｍ以下である。有機発光層３０の厚さは、例えば、５０ｎｍ以上５００ｎｍ以下である。第２電極２０（導電部２０ａ）の厚さは、例えば、１０ｎｍ以上５００ｎｍ以下である。導電部２０ａの幅Ｗ１（Ｘ軸方向の長さ）は、例えば、１μｍ以上５００μｍ以下である。複数の導電部２０ａのピッチＰｔは、例えば、２μｍ以上２０００μｍ以下である。ピッチＰｔは、例えば、隣り合う２つの導電部２０ａのＸ軸方向の中心間のＸ軸方向の距離である。
【００４３】
図４（ａ）〜図４（ｄ）は、第１の実施形態に係る別の有機電界発光素子を表す模式的断面図である。  
図４（ａ）に表したように、有機電界発光素子１１１では、光散乱部４０が、第２基板８２の第４主面８２ｂ自体に設けられた凹凸ＣＣである。凹凸ＣＣは、例えば、ピラミッド状やプリズム状などである。このように、光散乱部４０は、例えば、第４主面８２ｂ自体に設けられた凹凸ＣＣでもよい。光散乱部４０は、例えば、光を散乱させる複数の微小構造を有していればよい。凹凸ＣＣは、例えば、フロスト処理などによって形成できる。
【００４４】
図４（ｂ）に表したように、有機電界発光素子１１２では、光散乱部４０が、第２基板８２の第３主面８２ａに設けられている。このように、光散乱部４０は、第３主面８２ａに設けてもよい。光散乱部４０は、第２基板８２のうちの、Ｘ−Ｙ平面に投影したとき（Ｚ軸方向に見たとき）に、導電部２０ａと重なる位置に配置されていればよい。
【００４５】
図４（ｃ）に表したように、有機電界発光素子１１３では、光散乱部４０が、第１基板８１の第２主面８１ｂに、さらに設けられている。第１基板８１の光散乱部４０は、第１基板８１のうちの、Ｘ−Ｙ平面に投影したときに、導電部２０ａと重なる位置に配置される。このように、第１基板８１に光散乱部４０をさらに設けてもよい。この場合、例えば、第１基板８１側から見た透過像の視認性も向上させることができる。また、第１基板８１の第２主面８１ｂに設けられた光散乱部４０は、例えば、発光ＥＬの第２主面８１ｂでの全反射を抑制する。これにより、第１基板８１に光散乱部４０をさらに設けた場合には、例えば、発光ＥＬの光取り出し効率を向上させることもできる。
【００４６】
図４（ｄ）に表したように、有機電界発光素子１１４では、有機発光層３０が、第１電極１０の全体の上に設けられている。有機電界発光素子１１０では、有機発光層３０が、第２電極２０と実質的に同じパターン形状にパターニングされている。有機電界発光素子１１４に表したように、有機発光層３０は、パターニングしなくてもよい。この場合、有機発光層３０のうちの、Ｘ−Ｙ平面に投影したときに、導電部２０ａと重なる部分が、発光領域ＥＡとなる。また、有機電界発光素子１１４では、有機発光層３０が、光透過性を有する。
【００４７】
図５、第１の実施形態に係る別の有機電界発光素子の一部を表す模式的平面図である。  図５に表したように、第２電極２０は、格子状でもよい。この例では、複数の開口部２０ｂのそれぞれが、Ｘ軸方向に並ぶとともに、Ｙ軸方向に並ぶ。すなわち、複数の開口部２０ｂのそれぞれは、Ｘ軸方向及びＹ軸方向に二次元マトリクス状に並べられる。複数の開口部２０ｂのそれぞれのＸ−Ｙ平面に投影した形状は、例えば、矩形状である。これにより、導電部２０ａは、Ｘ−Ｙ平面に投影したときに、格子状となる。この例において、第２電極２０のパターン形状は、格子状である。このように、第２電極２０のパターン形状は、ストライプ状に限ることなく、格子状でもよい。
【００４８】
導電部２０ａを格子状とする場合には、例えば、有機電界発光素子１１４のように有機発光層３０を第１電極１０の全体の上に設ける。また、有機発光層３０を導電部２０ａと同様の格子状のパターン形状とする。これにより、第１電極１０と第２電極２０との短絡を抑制できる。
【００４９】
この例では、開口部２０ｂのＸ−Ｙ平面に投影した形状が、矩形状である。開口部２０ｂの形状は、矩形状に限ることなく、例えば、円形、楕円形または他の多角形状でもよい。開口部２０ｂの形状は、任意の形状でよい。本願明細書において、「格子状」には、開口部が矩形状であるものの他、開口部が任意の形状であるものも含む。例えば、ハニカム状の形状なども、「格子状」に含むものとする。すなわち、第２電極２０のパターン形状は、ハニカム状などでもよい。
【００５０】
図６（ａ）及び図６（ｂ）、第１の実施形態に係る別の有機電界発光素子を表す模式的断面図である。  
図６（ａ）に表したように、有機電界発光素子１１５では、積層体ＳＢが、第２基板８２の第３主面８２ａの上に設けられている。このように、積層体ＳＢは、第２基板８２の上に設けてもよい。この場合、光散乱部４０は、例えば、第４主面８２ｂに設ける。このように、光散乱部４０は、積層体ＳＢが設けられている側の基板に設けてもよい。有機電界発光素子１１５でも、透過像の視認性を高めることができる。
【００５１】
図６（ｂ）に表したように、有機電界発光素子１１６では、第２基板８２、第２電極２０、有機発光層３０、第１電極１０及び第１基板８１が、この順に積層されている。すなわち、有機電界発光素子１１６では、有機電界発光素子１１５に対して積層体ＳＢの積層順が逆である。このように、積層体ＳＢの積層順は、第２電極２０、有機発光層３０及び第１電極１０の順でもよい。なお、積層体ＳＢを第１基板８１の上に設ける構成において、積層体ＳＢの積層順を、第２電極２０、有機発光層３０及び第１電極１０の順にしてもよい。
【００５２】
図７、第１の実施形態に係る別の有機電界発光素子を表す模式的断面図である。  
図７に表したように、有機電界発光素子１１７では、積層体ＳＢが、絶縁層５０をさらに含む。  
絶縁層５０は、第１電極１０と有機発光層３０との間に設けられる。絶縁層５０は、例えば、第１電極１０の上に設けられる。絶縁層５０は、開口部５０ａと、絶縁部５０ｂと、を有する。絶縁層５０は、例えば、複数の開口部５０ａと、複数の絶縁部５０ｂと、を有する。複数の開口部５０ａのそれぞれは、第１方向に延び、第１方向に対して垂直な第２方向に並ぶ。この例では、複数の開口部５０ａのそれぞれが、Ｙ軸方向に延び、Ｘ軸方向に並ぶ。すなわち、この例では、複数の開口部５０ａのそれぞれが、溝状である。複数の開口部５０ａのそれぞれは、第１電極１０の一部を露呈させる。この例では、複数の開口部５０ａのそれぞれにより、第１電極１０の複数の部分が露呈される。以下では、第１電極１０のうちの開口部５０ａによって露呈された部分を、露呈部１０ｐと称す。複数の絶縁部５０ｂのそれぞれは、複数の開口部５０ａのそれぞれの間に配置される。この例では、複数の絶縁部５０ｂのそれぞれが、Ｙ軸方向に延びる。
【００５３】
この例では、有機発光層３０が、絶縁層５０の上に設けられる。有機発光層３０は、第１電極１０の露呈部１０ｐの上に設けられた第１部分３０ａと、絶縁層５０の上に設けられた第２部分３０ｂと、を有する。第２部分３０ｂは、有機発光層３０のうちの、絶縁部５０ｂの上に設けられた部分である。有機発光層３０は、例えば、複数の絶縁部５０ｂのそれぞれの上及び複数の露呈部１０ｐのそれぞれの上に、連続して設けられる。有機発光層３０は、光透過性を有する。
【００５４】
有機発光層３０の厚さ（Ｚ軸方向に沿う長さ）は、絶縁層５０（絶縁部５０ｂ）の厚さよりも薄い。有機発光層３０の第１部分３０ａの上面と第１電極１０の上面との間のＺ軸方向の距離は、絶縁層５０の絶縁部５０ｂの上面と第１電極１０の上面との間のＺ軸方向の距離よりも短い。すなわち、第１部分３０ａの上面は、絶縁部５０ｂの上面よりも下に位置する。
【００５５】
複数の導電部２０ａのそれぞれは、Ｘ−Ｙ平面に投影したときに、複数の第１部分３０ａのそれぞれと重なる位置に配置される。有機電界発光素子１１７では、有機発光層３０のうちの露呈部１０ｐと導電部２０ａとの間の部分が、発光領域ＥＡとなる。複数の光散乱部４０のそれぞれは、Ｘ−Ｙ平面に投影したときに、複数の導電部２０ａのそれぞれと重なる位置に配置される。
【００５６】
有機電界発光素子１１７でも、透過像の視認性を高めることができる。また、有機電界発光素子１１７では、例えば、第２電極２０の形成の際に、マスクなどが、有機発光層３０の発光領域ＥＡとなる第１部分３０ａに接触することを抑制できる。有機電界発光素子１１７では、例えば、第２電極２０の形成の際などに、有機発光層３０の発光領域ＥＡとなる第１部分３０ａに傷が付いてしまうことを抑制できる。有機電界発光素子１１７では、例えば、歩留まりを向上できる。有機電界発光素子１１７では、例えば、高い信頼性を得られる。
【００５７】
絶縁層５０には、例えば、ポリイミド樹脂、アクリル樹脂などの絶縁性の樹脂材料や、シリコン酸化膜（例えばＳｉＯ２）、シリコン窒化膜（例えばＳｉＮ）、または、シリコン酸窒化膜などの絶縁性の無機材料などが用いられる。なお、絶縁層５０は、これらの材料に限定されない。
【００５８】
図８（ａ）及び図８（ｂ）、第１の実施形態に係る別の有機電界発光素子を表す模式的断面図である。  
図８（ａ）に表したように、有機電界発光素子１２１では、光散乱部４０が、導電部２０ａに設けられる。有機電界発光素子１２１は、複数の光散乱部４０を含む。この例では、複数の光散乱部４０のそれぞれが、複数の導電部２０ａのそれぞれに設けられる。複数の光散乱部４０のそれぞれは、第２基板８２と対向して配置される。導電部２０ａは、第２基板８２と対向する対向面２０ｔを有する。光散乱部４０は、例えば、対向面２０ｔの上に設けられる。この例において、光散乱部４０は、例えば、光学フィルムＯＦである。
【００５９】
有機電界発光素子１２１でも、第２基板８２側から入射し、導電部２０ａで反射した光が、光散乱部４０で散乱する。これにより、有機電界発光素子１２１でも、透過像の視認性を高めることができる。
【００６０】
図８（ｂ）に表したように、有機電界発光素子１２２では、光散乱部４０が、導電部２０ａの対向面２０ｔ自体に設けられた凹凸ＣＣである。このように、光散乱部４０は、導電部２０ａに設ける場合において、対向面２０ｔ自体に設けられた凹凸ＣＣでもよい。
【００６１】
導電部２０ａに光散乱部４０を設ける場合において、導電部２０ａは、格子状でもよい。第２基板８２の上に積層体ＳＢを設けてもよい。積層体ＳＢの積層順は、逆でもよい。例えば、光散乱部４０を凹凸ＣＣとする場合には、導電部２０ａにおいて、第２基板８２に対向する面と、第１基板８１に対向する面と、の双方に光散乱部４０を設けてもよい。例えば、導電部２０ａと第２基板８２との双方に光散乱部４０を設けてもよい。
【００６２】
図９（ａ）及び図９（ｂ）は、第１の実施形態に係る別の有機電界発光素子を表す模式図である。  
図９（ａ）は、有機電界発光素子１３１の模式的断面図であり、図９（ｂ）は、有機電界発光素子１３１の積層体ＳＢの模式的平面図である。図９（ａ）は、図９（ｂ）のＢ１−Ｂ２線断面である。  
図９（ａ）及び図９（ｂ）に表したように、有機電界発光素子１３１では、第２電極２０が、有機発光層３０の上に設けられる。例えば、第２電極２０が、有機発光層３０の全体の上に設けられる。この例において、第２電極２０は、光透過性を有する。第２電極２０は、例えば、透明である。
【００６３】
これにより、有機電界発光素子１３１では、第１電極１０と第２電極２０とを介して有機発光層３０に電圧を印加すると、発光領域ＥＡから発せられた発光ＥＬが、第１電極１０を介して有機電界発光素子１３１の外部に出射するとともに、第２電極２０を介して有機電界発光素子１３１の外部に出射する。すなわち、有機電界発光素子１３１は、両面発光型である。
【００６４】
有機電界発光素子１３１において、積層体ＳＢは、第１配線層６１をさらに含む。第１配線層６１は、第１電極１０と絶縁層５０との間に設けられる。第１配線層６１は、開口部６１ａと、配線部６１ｂと、を有する。開口部６１ａは、第１電極１０の一部を露呈させる。第１配線層６１は、例えば、複数の開口部６１ａと、複数の配線部６１ｂと、を有する。この例において、複数の開口部６１ａのそれぞれは、Ｙ軸方向に延び、Ｘ軸方向に並ぶ。複数の配線部６１ｂは、複数の開口部６１ａのそれぞれの間に設けられる。すなわち、この例において、第１配線層６１は、ストライプ状のパターン形状である。複数の配線部６１ｂのそれぞれは、例えば、Ｘ−Ｙ平面に投影したときに、複数の絶縁部５０ｂのそれぞれと重なる位置に配置される。複数の配線部６１ｂのそれぞれは、必ずしも複数の絶縁部５０ｂのそれぞれと重ならなくてもよい。
【００６５】
第１配線層６１は、第１電極１０と電気的に接続される。第１配線層６１は、例えば、第１電極１０に接する。第１配線層６１の導電率は、第１電極１０の導電率よりも高い。配線部６１ｂは、光反射性を有する。配線部６１ｂの光反射率は、第１電極１０の光反射率よりも高い。配線部６１ｂは、例えば、金属配線である。第１配線層６１は、例えば、第１電極１０に流れる電流を伝達する補助電極として機能する。これにより、有機電界発光素子１３１では、例えば、第１電極１０の膜面に対して平行な方向に流れる電流量をより均一にできる。例えば、面内の発光輝度をより均一にできる。
【００６６】
配線部６１ｂの幅Ｗｈ１（Ｘ軸方向の長さ）は、例えば、０．５μｍ以上４００μｍ以下である。この例において、複数の配線部６１ｂのそれぞれのピッチは、複数の絶縁部５０ｂのそれぞれのピッチと実質的に同じである。複数の配線部６１ｂのそれぞれのピッチは、例えば、複数の絶縁部５０ｂのそれぞれのピッチの整数倍としてもよい。すなわち、絶縁部５０ｂに対して１個置きや２個置きなどに配線部６１ｂを設けてもよい。第１配線層６１は、例えば、第１電極１０と第１基板８１との間に設けてもよい。第１配線層６１のパターン形状は、格子状でもよい。
【００６７】
有機電界発光素子１３１では、光散乱部４０が、第２基板８２に設けられる。この例において、光散乱部４０は、Ｘ−Ｙ平面に投影したときに、配線部６１ｂに重なる位置に配置される。有機電界発光素子１３１は、複数の光散乱部４０を有する。複数の光散乱部４０それぞれは、複数の配線部６１ｂのそれぞれと重なる位置に配置される。この例では、複数の光散乱部４０が、第２基板８２の第４主面８２ｂの上に設けられる。複数の光散乱部４０は、第３主面８２ａの上に設けてもよい。
【００６８】
有機電界発光素子１３１では、第２基板８２側から入射し、配線部６１ｂで反射した光が、光散乱部４０で散乱する。これにより、有機電界発光素子１３１では、例えば、第１配線層６１の配線部６１ｂでの反射光に起因する透過像の視認性の低下を抑制できる。有機電界発光素子１３１においても、透過像の視認性を高めることができる。この場合においても、光散乱部４０は、光学フィルムＯＦでもよいし、凹凸ＣＣでもよい。
【００６９】
光透過性の第２電極２０には、例えば、第１電極１０に関して説明した材料を用いることができる。また、光透過性の第２電極２０は、例えば、ＭｇＡｇなどの金属材料でもよい。金属材料において、第２電極２０の厚さを５ｎｍ以上２０ｎｍ以下とする。これにより、適切な光透過性を得ることができる。
【００７０】
第１配線層６１は、例えば、Ｍｏ、Ｔａ、Ｎｂ、Ａｌ、Ｎｉ及びＴｉよりなる群から選択された、少なくともいずれかの元素を含む。第１配線層６１は、例えば、この群から選択された元素を含む混合膜とすることができる。第１配線層６１は、それらの元素を含む積層膜とすることができる。第１配線層６１には、例えば、Ｎｂ／Ｍｏ／Ａｌ／Ｍｏ／Ｎｂの積層膜を用いることができる。第１配線層６１は、例えば、第１電極１０の電位降下を抑制する補助電極として機能する。第１配線層６１は、電流供給のためのリード電極として機能することができる。なお、第１配線層６１は、これらの材料に限定されない。
【００７１】
図１０（ａ）及び図１０（ｂ）は、第１の実施形態に係る別の有機電界発光素子を表す模式的断面図である。  
図１０（ａ）に表したように、有機電界発光素子１３２では、第１配線層６１の配線部６１ｂに光散乱部４０が設けられる。光散乱部４０は、第２基板８２と対向して配線部６１ｂに設けられる。配線部６１ｂは、例えば、第２基板８２と対向する対向面６１ｔを有する。光散乱部４０は、例えば、配線部６１ｂの対向面６１ｔの上に設けられる。有機電界発光素子１３２は、複数の光散乱部４０を有する。複数の光散乱部４０のそれぞれは、複数の配線部６１ｂのそれぞれに設けられる。有機電界発光素子１３２でも、第１配線層６１の配線部６１ｂでの反射光に起因する透過像の視認性の低下を抑制できる。透過像の視認性を高めることができる。このように、光散乱部４０は、配線部６１ｂに設けてもよい。
【００７２】
図１０（ｂ）に表したように、有機電界発光素子１３３では、積層体ＳＢが、第２基板８２の第３主面８２ａの上に設けられている。この場合、光散乱部４０は、例えば、第４主面８２ｂに設ける。有機電界発光素子１３３でも、第１配線層６１の配線部６１ｂでの反射光に起因する透過像の視認性の低下を抑制できる。透過像の視認性を高めることができる。なお、第１基板８１と第２基板８２との双方に光散乱部４０を設けてもよい。
【００７３】
図１１（ａ）及び図１１（ｂ）は、第１の実施形態に係る別の有機電界発光素子を表す模式図である。  
図１１（ａ）は、有機電界発光素子１４１の模式的断面図であり、図１１（ｂ）は、有機電界発光素子１４１の模式的平面図である。図１１（ａ）は、図１１（ｂ）のＣ１−Ｃ２線断面である。  
図１１（ａ）及び図１１（ｂ）に表したように、有機電界発光素子１４１では、積層体ＳＢが、第２配線層６２をさらに含む。この例において、第２電極２０は、有機発光層３０と第２配線層６２との間に設けられる。すなわち、第２配線層６２は、第２電極２０の上に設けられる。
【００７４】
第２配線層６２は、開口部６２ａと、配線部６２ｂと、を有する。開口部６２ａは、第２電極２０の一部を露呈させる。第２配線層６２は、例えば、複数の開口部６２ａと、複数の配線部６２ｂと、を有する。この例において、複数の開口部６２ａのそれぞれは、Ｙ軸方向に延び、Ｘ軸方向に並ぶ。複数の配線部６２ｂは、複数の開口部６２ａのそれぞれの間に設けられる。すなわち、この例において、第２配線層６２は、ストライプ状のパターン形状である。この例において、複数の配線部６２ｂのそれぞれは、Ｘ−Ｙ平面に投影したときに、複数の絶縁部５０ｂのそれぞれと重ならない位置に配置される。複数の配線部６２ｂのそれぞれは、例えば、Ｘ−Ｙ平面に投影したときに、複数の絶縁部５０ｂのそれぞれと重なる位置に配置してもよい。
【００７５】
第２配線層６２は、第２電極２０と電気的に接続される。第２配線層６２は、例えば、第２電極２０に接する。第２配線層６２の導電率は、第２電極２０の導電率よりも高い。配線部６２ｂは、光反射性を有する。配線部６２ｂの光反射率は、第２電極２０の光反射率よりも高い。配線部６２ｂは、例えば、金属配線である。第２配線層６２は、例えば、第２電極２０に流れる電流を伝達する補助電極として機能する。これにより、有機電界発光素子１４１では、例えば、第２電極２０のＸ−Ｙ平面方向に流れる電流量をより均一にできる。例えば、面内の発光輝度をより均一にできる。
【００７６】
配線部６２ｂの幅Ｗｈ２（Ｘ軸方向の長さ）は、例えば、０．５μｍ以上４００μｍ以下である。この例において、複数の配線部６２ｂのそれぞれは、Ｘ−Ｙ平面に投影したときに、複数の第１部分３０ａのそれぞれと重なる位置に配置されている。配線部６２ｂは、例えば、第１部分３０ａに対して１個置きや２個置きなどに設けてもよい。
【００７７】
第２配線層６２は、例えば、第２電極２０と有機発光層３０との間に設けてもよい。第２配線層６２のパターン形状は、格子状でもよい。第２配線層６２には、例えば、第１配線層６１に関して説明した材料を用いることができる。
【００７８】
有機電界発光素子１４１では、光散乱部４０が、第２基板８２に設けられる。この例において、光散乱部４０は、Ｘ−Ｙ平面に投影したときに、配線部６２ｂに重なる位置に配置される。有機電界発光素子１４１は、複数の光散乱部４０を有する。複数の光散乱部４０のそれぞれは、複数の配線部６２ｂのそれぞれと重なる位置に配置される。この例では、複数の光散乱部４０が、第２基板８２の第４主面８２ｂの上に設けられる。複数の光散乱部４０は、第３主面８２ａの上に設けてもよい。
【００７９】
有機電界発光素子１４１では、第２基板８２側から入射し、配線部６２ｂで反射した光が、光散乱部４０で散乱する。これにより、有機電界発光素子１２１では、例えば、第２配線層６２の配線部６２ｂでの反射光に起因する透過像の視認性の低下を抑制できる。有機電界発光素子１４１においても、透過像の視認性を高めることができる。この場合においても、光散乱部４０は、光学フィルムＯＦでもよいし、凹凸ＣＣでもよい。
【００８０】
図１２（ａ）及び図１２（ｂ）は、第１の実施形態に係る別の有機電界発光素子を表す模式的断面図である。  
図１２（ａ）に表したように、有機電界発光素子１４２では、第２配線層６２の配線部６２ｂに光散乱部４０が設けられる。光散乱部４０は、第２基板８２と対向して配線部６２ｂに設けられる。配線部６２ｂは、例えば、第２基板８２と対向する対向面６２ｔを有する。光散乱部４０は、例えば、配線部６２ｂの対向面６２ｔの上に設けられる。有機電界発光素子１４２は、複数の光散乱部４０を有する。複数の光散乱部４０のそれぞれは、複数の配線部６２ｂのそれぞれに設けられる。有機電界発光素子１４２でも、第２配線層６２の配線部６２ｂでの反射光に起因する透過像の視認性の低下を抑制できる。透過像の視認性を高めることができる。このように、光散乱部４０は、配線部６２ｂに設けてもよい。
【００８１】
図１２（ｂ）に表したように、有機電界発光素子１４３では、積層体ＳＢが、第２基板８２の第３主面８２ａの上に設けられている。この場合、光散乱部４０は、例えば、第４主面８２ｂに設ける。有機電界発光素子１４３でも、第２配線層６２の配線部６２ｂでの反射光に起因する透過像の視認性の低下を抑制できる。透過像の視認性を高めることができる。なお、第１基板８１と第２基板８２との双方に光散乱部４０を設けてもよい。
【００８２】
積層体ＳＢは、第１配線層６１と第２配線層６２とを含んでもよい。この場合、例えば、第２基板８２において、Ｘ−Ｙ平面に投影したときに、配線部６１ｂ及び配線部６２ｂのそれぞれに重なる位置に、複数の光散乱部４０のそれぞれを配置してもよい。これにより、例えば、配線部６１ｂ及び配線部６２ｂのそれぞれでの反射光に起因する透過像の視認性の低下を抑制できる。
【００８３】
（第２の実施形態）  
図１３は、第２の実施形態に係る照明装置を表す模式図である。  
図１３に表したように、本実施形態に係る照明装置２１０は、第１の実施形態に係る有機電界発光素子（例えば有機電界発光素子１１０）と、電源部２０１と、を備える。
【００８４】
電源部２０１は、第１電極１０と第２電極２０とに電気的に接続される。電源部２０１は、第１電極１０及び第２電極２０を介して有機発光層３０に電流を供給する。  
本実施形態に係る照明装置２１０によれば、透過像の視認性の高い照明装置を提供できる。
【００８５】
（第３の実施形態）  
図１４（ａ）及び図１４（ｂ）は、第３の実施形態に係る照明システムを表す模式図である。  
図１４（ａ）に表したように、本実施形態に係る照明システム３１１は、第１の実施形態に係る複数の有機電界発光素子（例えば有機電界発光素子１１０）と、制御部３０１と、を備える。
【００８６】
制御部３０１は、複数の有機電界発光素子１１０のそれぞれと電気的に接続され、複数の有機電界発光素子１１０のそれぞれの点灯・消灯を制御する。制御部３０１は、例えば、複数の有機電界発光素子１１０のそれぞれの第１電極１０及び第２電極２０と電気的に接続される。これにより、制御部３０１は、複数の有機電界発光素子１１０のそれぞれの点灯・消灯を個別に制御する。
【００８７】
図１４（ｂ）に表したように、照明システム３１２では、複数の有機電界発光素子１１０のそれぞれが、直列に接続されている。制御部３０１は、複数の有機電界発光素子１１０のうちの１つの有機電界発光素子１１０の第１電極１０と電気的に接続される。そして、制御部３０１は、複数の有機電界発光素子１１０のうちの別の１つの有機電界発光素子１１０の第２電極２０と電気的に接続される。これにより、制御部３０１は、複数の有機電界発光素子１１０のそれぞれの点灯・消灯をまとめて制御する。このように、制御部３０１は、複数の有機電界発光素子１１０のそれぞれの点灯・消灯を個別に制御してもよいし、まとめて制御してもよい。  
本実施形態に係る照明システム３１１、３１２によれば、透過像の視認性の高い照明システムを提供できる。
【００８８】
実施形態によれば、透過像の視認性の高い有機電界発光素子、照明装置及び照明システムが提供される。
【００８９】
なお、本願明細書において、「垂直」及び「平行」は、厳密な垂直及び厳密な平行だけではなく、例えば製造工程におけるばらつきなどを含むものであり、実質的に垂直及び実質的に平行であれは良い。
【００９０】
以上、具体例を参照しつつ、本発明の実施の形態について説明した。しかし、本発明の実施形態は、これらの具体例に限定されるものではない。例えば、有機電界発光素子に含まれる、第１基板、第２基板、積層体、第１電極、第２電極、有機発光層、配線層、開口部、導電部、配線部、光散乱部、並びに、照明装置に含まれる電源部、照明システムに含まれる制御部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【００９１】
その他、本発明の実施の形態として上述した有機電界発光素子、照明装置及び照明システムを基にして、当業者が適宜設計変更して実施し得る全ての有機電界発光素子、照明装置及び照明システムも、本発明の要旨を包含する限り、本発明の範囲に属する。
【００９２】
その他、本発明の思想の範疇において、当業者であれば、各種の変更例及び修正例に想到し得るものであり、それら変更例及び修正例についても本発明の範囲に属するものと了解される。
【００９３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９４】
１０…第１電極、  ２０…第２電極、  ２０ａ…導電部、  ２０ｂ…開口部、  ３０…有機発光層、  ３０ａ…第１部分、  ３０ｂ…第２部分、  ４０…光散乱部、  ５０…絶縁層、  ５０ａ…開口部、  ５０ｂ…絶縁部、  ６１…第１配線層、  ６１ａ…開口部、  ６１ｂ…配線部、  ６２…第２配線層、  ６２ａ…開口部、  ６２ｂ…配線部、  ８１…第１基板、  ８２…第２基板、  １１０〜１１７、１２１、１２２、１３１〜１３３、１４１〜１４３…有機電界発光素子、  ２０１…電源部、  ２１０…照明装置、  ３０１…制御部、  ３１１、３１２…照明システム、  ＳＢ…積層体
【図１】
2014154213.tif 000003
【図２】
2014154213.tif 000004
【図３】
2014154213.tif 000005
【図４】
2014154213.tif 000006
【図５】
2014154213.tif 000007
【図６】
2014154213.tif 000008
【図７】
2014154213.tif 000009
【図８】
2014154213.tif 000010
【図９】
2014154213.tif 000011
【図１０】
2014154213.tif 000012
【図１１】
2014154213.tif 000013
【図１２】
2014154213.tif 000014
【図１３】
2014154213.tif 000015
【図１４】
2014154213.tif 000016